(57)【特許請求の範囲】
【請求項１】
第１の記憶装置から当該第１の記憶装置と交換される第２の記憶装置に引き継ぐ条件を設定する引継ぎ条件設定部と、
前記引継ぎ条件設定部によって設定された前記条件に基づいて、検査により生成された画像データ及び当該検査を識別する検査情報の少なくとも一方を、前記第１の記憶装置から前記第２の記憶装置に引き継ぐ引継ぎ部と、
操作部と、を備え、
前記操作部は、前記第１の記憶装置をインターフェースから取り外すための取り外しの入力及びこの入力に応じて氏名の入力が可能であり、前記操作部から入力された氏名の情報を保存する記憶部を有する、
医用画像処理装置。
【請求項２】
前記引継ぎ条件設定部は、前記第１の記憶装置に保存された前記画像データ及び前記検査情報のうち、前記第２の記憶装置に引き継いで保存する前記画像データ及び前記検査情報の引継ぎ条件を設定することを特徴とする請求項１に記載の医用画像処理装置。
【請求項３】
前記引継ぎ部は、前記第１の記憶装置から読み出した前記画像データ及び前記検査情報を、前記第１の記憶装置が前記インターフェースから取り外された後に前記インターフェースに取り付けられる前記第２の記憶装置の取り付けに応じて、前記第２の記憶装置に書き込むことを特徴とする請求項１又は請求項２に記載の医用画像処理装置。
【請求項４】
前記操作部は、前記インターフェースに取り付けられた前記第１の記憶装置に保存される前記画像データ及び前記検査情報のうち、前記引継ぎ条件に非該当の前記画像データ及び前記検査情報を選択する入力が可能であり、
前記引継ぎ部は、前記操作部から選択入力された前記画像データ及び前記検査情報を前記第１の記憶装置から読み出して、前記第１の記憶装置が前記インターフェースから取り外された後に前記インターフェースに取り付けられる前記第２の記憶装置に書き込む、
請求項１に記載の医用画像処理装置。
【請求項５】
第１の記憶装置から当該第１の記憶装置と交換される第２の記憶装置に引き継ぐ条件を設定する引継ぎ条件設定部と、
前記引継ぎ条件設定部によって設定された前記条件に基づいて、検査により生成された画像データ及び当該検査を識別する検査情報の少なくとも一方を、前記第１の記憶装置から前記第２の記憶装置に引き継ぐ引継ぎ部と、
インターフェースに取り付けられた前記第１又は前記第２の記憶装置に保存される前記画像データ及び前記検査情報を表示する表示部を有し、前記表示部は、前記引継ぎ部により読み出しが行われた前記第１の記憶装置が前記インターフェースから取り外された後に前記インターフェースに取り付けられると、前記第１の記憶装置に保存された前記画像データ及び前記検査情報のうち、前記引継ぎ部により読み出された前記画像データ及び前記検査情報以外の前記画像データ及び前記検査情報を表示することを特徴とする医用画像処理装置。
【請求項６】
前記引継ぎ部は、前記インターフェースに取り付けられた前記第１の記憶装置に保存可能な前記画像データ及び前記検査情報の空き領域の容量が下限値を下回ったとき、前記第１の記憶装置から前記画像データ及び前記検査情報を読み出すことを特徴とする請求項１又は請求項２に記載の医用画像処理装置。
【請求項７】
前記引継ぎ条件設定部により引継ぎ除外条件が設定され、前記引継ぎ部は、前記第１の記憶装置に保存された前記画像データ及び検査情報のうち、前記引継ぎ条件に該当する前記画像データ及び前記検査情報の中から前記引継ぎ除外条件に該当する前記画像データ及び前記検査情報を除いた前記画像データ及び前記検査情報を読み出すことを特徴とする請求項１乃至請求項６のいずれかに記載の医用画像処理装置。
【請求項８】
第１の記憶装置から当該第１の記憶装置と交換される第２の記憶装置に引き継ぐ条件を設定する引継ぎ条件設定部と、
前記引継ぎ条件設定部によって設定された前記条件に基づいて、検査により生成された画像データ及び当該検査を識別する検査情報の少なくとも一方を、前記第１の記憶装置から前記第２の記憶装置に引き継ぐ引継ぎ部と、
前記引継ぎ部は、前記第１の記憶装置から読み出した前記画像データ及び前記検査情報を、前記第１の記憶装置がインターフェースから取り外された後に前記インターフェースに取り付けられる前記第２の記憶装置の取り付けに応じて、前記第２の記憶装置に書き込み、
ワークステーションから要求された前記画像データ及び前記検査情報が前記インターフェースから取り外された前記第１の記憶装置に保存され、前記インターフェースに取り付けられた前記第２の記憶装置に保存されていない場合、前記ワークステーションに当該画像データ及び当該検査情報が保存されている前記第１の記憶装置の情報を返信することを特徴とする医用画像処理装置。
【請求項９】
第１の記憶装置から当該第１の記憶装置と交換される第２の記憶装置に引き継ぐ条件を設定する引継ぎ条件設定部と、
前記引継ぎ条件設定部によって設定された前記条件に基づいて、検査により生成された画像データ及び当該検査を識別する検査情報の少なくとも一方を、前記第１の記憶装置から前記第２の記憶装置に引き継ぐ引継ぎ部と、
操作部と、を備え、
前記操作部は、前記第１の記憶装置をインターフェースから取り外すための取り外しの入力及びこの入力に応じて氏名の入力が可能であり、前記操作部から入力された氏名の情報を保存する記憶部を有する、
医用画像診断装置。
【発明の詳細な説明】
【技術分野】
【０００１】
本発明の実施形態は、検査により得られた画像データを保存する医用画像処理装置及び
医用画像診断装置に関する。
【背景技術】
【０００２】
超音波診断装置、Ｘ線診断装置、Ｘ線ＣＴ装置、ＭＲＩ装置、核医学診断装置等の医用
画像診断装置を用いた検査により得られた画像データや検査情報は、過去数年分に亘って
保存されるため膨大な量となる。このため、画像データや検査情報が磁気ディスク装置、
光ディスク装置等の外部の記憶装置に保存される場合、複数の記憶装置に保存されること
になる。
【先行技術文献】
【特許文献】
【０００３】
【特許文献１】特許第４６０７４９９号公報
【発明の概要】
【発明が解決しようとする課題】
【０００４】
しかしながら、参照したい画像データが使用されている記憶装置よりも以前に使用され
た記憶装置に保存されている場合、使用中の記憶装置を以前に使用された記憶装置に交換
する必要があるため、手間がかかる問題がある。
【０００５】
実施形態は、上記問題点を解決するためになされたもので、記憶装置を交換する手間を
低減することができる医用画像処理装置及び医用画像診断装置を提供することを目的とす
る。
【課題を解決するための手段】
【０００６】
上記目的を達成するために、第１の記憶装置から当該第１の記憶装置と交換される第２の記憶装置に引き継ぐ条件を設定する引継ぎ条件設定部と、前記引継ぎ条件設定部によって設定された前記条件に基づいて、検査により生成された画像データ及び当該検査を識別する検査情報の少なくとも一方を、前記第１の記憶装置から前記第２の記憶装置に引き継ぐ引継ぎ部と、を備えたことを特徴とする。
【図面の簡単な説明】
【０００７】
【図１】実施形態に係る医用画像管理システムの構成を示すブロック図。
【図２】実施形態に係る初期設定により第１の記憶装置の情報が保存されたＨＤＤテーブルを示す図。
【図３】実施形態に係る第１の記憶装置に保存された検査情報の一覧表を示す図。
【図４】実施形態に係る履歴データベースに保存された履歴の一覧表を示す図。
【図５】実施形態に係る表示部に検査情報の一覧表の一部が表示された画面を示す図。
【図６】実施形態に係る表示部に表示された引継ぎ条件を設定するための画面を示す図。
【図７】実施形態に係る表示部に「Ｍａｉｎ」のタブエリアが表示された画面を示す図。
【図８】実施形態に係る表示部に画像データが表示された画面を示す図。
【図９】実施形態に係る表示部に引継ぎマークが付加された画像データ及び検査情報が表示された画面を示す図。
【図１０】実施形態に係る表示部にダイアログボックスが表示された画面を示す図。
【図１１】実施形態に係る表示部にメッセージが表示された画面を示す図。
【図１２】実施形態に係る第１及び第２の記憶装置の情報が保存されたＨＤＤテーブルを示す図。
【図１３】実施形態に係る引継ぎマークが付加された画像データ及び検査情報の保存場所が引継ぎ保存された場所に更新された履歴の一覧表を示す図。
【図１４】実施形態に係る表示部に引継ぎ保存された画像データ及び検査情報が表示された画面を示す図。
【図１５】実施形態に係る表示部に履歴の一覧表及び第１の記憶装置の情報が表示された画面を示す図。
【図１６】実施形態に係る第２の記憶装置の取り外し及び第１の記憶装置の取り付けに応じて、第１及び第２の記憶装置の情報が更新されたＨＤＤテーブルを示す図。
【図１７】実施形態に係る表示部に引継ぎマークが付加されていない画像データ及び検査情報が表示された画面を示す図。
【図１８】実施形態に係る引継ぎ入力に応じて表示部に引継ぎマークが付加された画像データ及び検査情報が表示された画面を示す図。
【図１９】実施形態に係る第１の記憶装置の取り外し及び第２の記憶装置の取り付けに応じて、第１及び第２の記憶装置の情報が更新されたＨＤＤテーブルを示す図。
【図２０】実施形態に係る内蔵記憶部の履歴データベースに保存された検査情報に引継ぎマークが付加された履歴の一覧表を示す図。
【図２１】実施形態に係る表示部に引継ぎ保存された画像データ及び検査情報が表示された画面を示す図。
【図２２】実施形態に係る表示部に超音波診断装置から受信した検査情報が表示された画面を示す図。
【図２３】実施形態に係る表示部に引継ぎマークが付加されていない画像データ及び検査情報が表示された画面を示す図。
【発明を実施するための形態】
【０００８】
以下、図面を参照して実施形態を説明する。
図１は、実施形態に係る医用画像管理システムの構成を示したブロック図である。この
医用画像管理システム６００は、超音波診断装置、Ｘ線診断装置、Ｘ線ＣＴ装置、ＭＲＩ
装置、核医学診断装置等の医用画像診断装置に着脱可能に取り付けて、被検体の検査によ
り医用画像診断装置で生成される画像データ及び前記検査を識別する検査ＩＤ等の検査情
報を保存する外部記憶装置２００を備えている。また、被検体の検査により画像データを
生成する医用画像診断装置である例えば超音波診断装置１００を備えている。
【０００９】
また、医用画像管理システム６００は、超音波診断装置１００とネットワーク３００を
介して接続され、超音波診断装置１００から送信される画像データ及び検査情報等の表示
が可能なワークステーション４００を備えている。また、超音波診断装置１００とネット
ワーク３００を介して接続され、超音波診断装置１００から送信される画像データ及び検
査情報を保管する医用画像保管装置５００を備えている。
【００１０】
なお、医用画像保管装置５００は、図示しないが、超音波診断装置１００以外の医用画
像診断装置とネットワーク３００を介して接続され、その医用画像診断装置から送信され
る画像データ及び検査情報も保管する。
【００１１】
外部記憶装置２００は、超音波診断装置１００やワークステーション４００に着脱可能
な例えばＵＳＢＨＤＤ（Ｕｎｉｖｅｒｓａｌ  Ｓｅｒｉａｌ  Ｂｕｓ  Ｈａｒｄ  Ｄｉｓ
ｋ  Ｄｒｉｖｅ）であり、第１の記憶装置２１０及び第１の記憶装置２１０から交換され
る第２の記憶装置２２０等により構成される。
【００１２】
第１の記憶装置２１０は、超音波診断装置１００に取り付けられると、検査により超音
波診断装置１００で生成される画像データ及びこの画像データに関連付けて検査情報を保
存する。そして、保存可能な画像データ及び検査情報の空き領域の容量が下限値を下回る
と、超音波診断装置１００から取り外されて第２の記憶装置２２０に交換される。また、
第２の記憶装置２２０は、第１の記憶装置２１０が超音波診断装置１００から取り外され
た後に超音波診断装置１００に取り付けられる。そして、検査により超音波診断装置１０
０で生成される画像データ及び検査情報を保存する。
【００１３】
超音波診断装置１００は、被検体に対して超音波の送受波を行なう超音波プローブ１０
と、超音波プローブ１０を駆動して被検体に超音波を走査する送受信部１１とを備えてい
る。また、送受信部１１からの受信信号に基づいて画像データを生成する画像データ生成
部１２と、画像データ生成部１２で生成された画像データ、外部記憶装置２００に保存さ
れた画像データや検査情報等を表示する表示部１３とを備えている。また、検査を識別す
る検査ＩＤ、検査日、被検体の患者名及び患者ＩＤ等の各検査情報の入力が可能なマウス
やキーボード等を有する操作部１４を備えている。
【００１４】
また、超音波診断装置１００は、画像データ生成部１２で生成された画像データを保存
処理する画像処理部２０と、ネットワーク３００を介してワークステーション４００や医
用画像保管装置５００との間で通信を行うインターフェース４０とを備えている。また、
送受信部１１、画像データ生成部１２、表示部１３、画像処理部２０及びインターフェー
ス４０を制御する制御部５０を備えている。
【００１５】
画像処理部２０は、外部記憶装置２００の各第１及び第２の記憶装置２１０，２２０を
着脱可能なように設けたインターフェース２１を備えている。また、インターフェース２
１に取り付けられた第１の記憶装置２１０を、第２の記憶装置２２０に交換するための引
継ぎ条件を設定する引継ぎ条件設定部２２を備えている。また、引継ぎ条件設定部２２で
設定された引継ぎ条件に基づいて画像データ及び検査情報の引継ぎを行う引継ぎ部２３を
備えている。また、操作部１４から検査毎に入力された検査情報等を保存する内蔵記憶部
２４を備えている。
【００１６】
引継ぎ条件設定部２２は、インターフェース２１に取り付けられた第１の記憶装置２１
０に保存される画像データ及び検査情報のうち、第２の記憶装置２２０に引き継いで保存
する画像データ及び検査情報の引継ぎ条件を設定する。ここでは、インターフェース２１
に取り付けられた第１の記憶装置２１０に保存される画像データ及び検査情報のうち、第
１の記憶装置２１０がインターフェース２１から取り外された後に例えば参照のために必
要となる可能性がある画像データ及び検査情報を、インターフェース２１に取り付けられ
た第２の記憶装置２２０に引き継いで保存するための引継ぎ条件を設定保存する。
【００１７】
引継ぎ部２３は、インターフェース２１に取り付けられた第１の記憶装置２１０に保存
可能な画像データ及び検査情報の空き領域の容量が下限値を下回ったとき、引継ぎ条件設
定部２２で設定された引継ぎ条件に基づいて第１の記憶装置２１０に保存された画像デー
タ及び検査情報を読み出して内蔵記憶部２４に保存する。そして、第１の記憶装置２１０
がインターフェース２１から取り外された後のインターフェース２１への第２の記憶装置
２２０の取り付けに応じて、内蔵記憶部２４に保存した画像データ及び検査情報を読み出
して第２の記憶装置２２０に書き込み保存する。
【００１８】
内蔵記憶部２４は、インターフェース２１に初めて取り付けられたときに制御部５０に
より発行される、各第１及び第２の記憶装置２１０，２２０のＩＤ等を保存するＨＤＤテ
ーブルを備えている。また、検査毎に操作部１４から入力される検査情報を保存する履歴
データベースを備えている。また、引継ぎ部２３により第１の記憶装置２１０から読み出
された画像データ及び検査情報を、第２の記憶装置２２０がインターフェース２１に取り
付けられるまで一時的に保存するテンポラリデータベースを備えている。
【００１９】
このように、引継ぎ条件に基づいて第１の記憶装置２１０に保存される画像データ及び
検査情報を読み出して第２の記憶装置２２０に保存することにより、インターフェース２
１から取り外されて保管状態になった第１の記憶装置２１０に保存される画像データ及び
検査情報が必要になったとき、インターフェース２１に取り付けられて使用中の第２の記
憶装置２２０を取り外して第１の記憶装置２１０を取り付ける付け替えの手間を省くこと
ができる。
【００２０】
ワークステーション４００は、ネットワーク３００を介して超音波診断装置１００や医
用画像保管装置５００との間で通信を行うインターフェース６０と、外部記憶装置２００
が着脱可能なインターフェース６１とを備えている。また、インターフェース６１に取り
付けられた外部記憶装置２００に保存される画像データ及び検査情報の読み出しを行う読
み出し部６２を備えている。また、超音波診断装置１００や医用画像保管装置５００から
受信した画像データ及び検査情報や、読み出し部６２に読み出された画像データ及び検査
情報を保存する内蔵記憶部７０を備えている。
【００２１】
また、ワークステーション４００は、内蔵記憶部７０に保存された画像データ及び検査
情報を表示する表示部８０を備えている。また、超音波診断装置１００等へ画像データ及
び検査情報を要求するための入力等を行う操作部９０を備えている。また、インターフェ
ース６０、インターフェース６１、読み出し部６２、内蔵記憶部７０及び表示部８０を制
御する制御部９１を備えている。
【００２２】
医用画像保管装置５００は、ネットワーク３００を介して超音波診断装置１００から送
信された画像データ及び検査情報を保管する。また、保管している画像データ及び検査情
報を、ネットワーク３００を介して超音波診断装置１００やワークステーション４００に
送信する。
【００２３】
以下、図１乃至図２３を参照して、医用画像管理システム６００の動作について説明す
る。
【００２４】
先ず、超音波診断装置１００に外部記憶装置２００の第１の記憶装置２１０が取り付け
られてから、第１の記憶装置２１０に保存される画像データ及び検査情報のうち、引継ぎ
条件設定部２２に設定された引継ぎ条件に該当する画像データ及び検査情報を、第２の記
憶装置２２０に引き継いで保存するまでの動作について説明する。
【００２５】
超音波診断装置１００の制御部５０は、インターフェース２１に第１の記憶装置２１０
が取り付けられると、インターフェース２１への外部記憶装置２００の取り付けを検出す
る。そして、初めて取り付けられた第１の記憶装置２１０の初期設定としてＩＤを発行す
る。次いで、発行したＩＤと共に第１の記憶装置２１０の状態を示す情報を内蔵記憶部２
４のＨＤＤテーブルに保存する。
【００２６】
図２は、初期設定により第１の記憶装置２１０の情報が保存されたＨＤＤテーブルを示
した図である。このＨＤＤテーブル２４１は、「ＩＤ」、「状態」及び「管理者」の欄に
より構成される。そして、「ＩＤ」の欄に、制御部５０が発行した第１の記憶装置２１０
のＩＤである「ＨＤＤ１」が保存されている。また、「状態」の欄に、第１の記憶装置２
１０が使用可能な状態であることを示す「使用中」の情報が保存されている。また、「管
理者」の欄は、空白になっている。
【００２７】
検査毎に操作部１４から入力される検査情報は、内蔵記憶部２４の履歴データベース及
び第１の記憶装置２１０に保存される。また、検査毎にこの検査で生成された画像データ
は、前記検査情報に関連付けて第１の記憶装置２１０に保存される。
【００２８】
図３は、第１の記憶装置２１０に保存された検査情報の一覧表を示した図である。この
検査情報の一覧表２１１は、「ＥＩＤ」、「Ｎａｍｅ」、「ＰＩＤ」、「Ｄａｔｅ」、「
Ｔｙｐｅ」、「Ｓｅｒ」、「Ｉｍｇ」、「ＩｍｇＩＤ」及び「−＞」等の各欄により構成
される。そして、「ＥＩＤ」の欄には、各検査を識別する「０００１」乃至「０００７」
等の検査ＩＤが保存されている。
【００２９】
「Ｎａｍｅ」の欄には、「ＥＩＤ」の欄における「０００１」の検査ＩＤで識別される
検査が行われた被検体の患者名である「Ｎａｍｅ１」が保存されている。また、「０００
２」の検査の患者名である「Ｎａｍｅ２」が保存され、「０００３」の検査の患者名であ
る「Ｎａｍｅ３」が保存されている。また、「０００４」の検査の患者名である「Ｎａｍ
ｅ４」が保存され、「０００５」の検査の患者名である「Ｎａｍｅ５」が保存されている
。また、「０００６」の検査の患者名である「Ｎａｍｅ６」が保存され、「０００７」の
検査の患者名である「Ｎａｍｅ７」等が保存されている。
【００３０】
「ＰＩＤ」の欄には、「Ｎａｍｅ」の欄における「Ｎａｍｅ１」の患者ＩＤである「Ｐ
ａｔＩＤ１」が保存されている。また、「Ｎａｍｅ２」の患者ＩＤである「ＰａｔＩＤ２
」が保存され、「Ｎａｍｅ３」の患者ＩＤである「ＰａｔＩＤ３」が保存されている。ま
た、「Ｎａｍｅ４」の患者ＩＤである「ＰａｔＩＤ４」が保存され、「Ｎａｍｅ５」の患
者ＩＤである「ＰａｔＩＤ５」が保存されている。また、「Ｎａｍｅ６」の患者ＩＤであ
る「ＰａｔＩＤ６」が保存され、「Ｎａｍｅ７」の患者ＩＤである「ＰａｔＩＤ７」等が
保存されている。
【００３１】
「Ｄａｔｅ」の欄には、「ＥＩＤ」の欄における「０００１」の検査ＩＤで識別される
検査が行われた検査日である「２０１４／０８／０４」が保存されている。また、「００
０２」の検査日である「２０１４／０８／０２」が保存され、「０００３」の検査日であ
る「２０１４／０７／２９」が保存されている。また、「０００４」の検査日である「２
０１４／０７／２６」が保存され、「０００５」の検査日である「２０１４／０７／２０
」が保存されている。また、「０００６」の検査日である「２０１４／０７／２０」が保
存され、「０００７」の検査日である「２０１４／０７／１５」等が保存されている。
【００３２】
「Ｔｙｐｅ」の欄には、「ＥＩＤ」の欄における「０００１」、「０００４」及び「０
００７」の検査ＩＤで識別される各検査のタイプである「Ｈｅａｒｔ」が保存されている
。また、「０００２」及び「０００３」の各検査のタイプである「ＯＢ」が保存され、「
０００５」及び「０００６」の各検査のタイプである「Ａｂｄｏｍｅｎ」が保存されてい
る。
【００３３】
「Ｓｅｒ」の欄には、「ＥＩＤ」の欄における「０００１」乃至「０００５」、及び「
０００７」の検査ＩＤで識別される各検査のシリーズの数である「１」が保存されている
。また、「０００６」の検査のシリーズの数である「２」等が保存されている。
【００３４】
「Ｉｍｇ」の欄には、「ＥＩＤ」の欄における「０００１」及び「０００５」の検査Ｉ
Ｄで識別される各検査で第１の記憶装置２１０に保存された画像データの数を示す「２０
」が保存されている。また、「０００２」の検査で保存された画像データの数を示す「８
」が保存され、「０００３」の検査で保存された画像データの数を示す「７」が保存され
ている。また、「０００４」の検査で保存された画像データの数を示す「１５」が保存さ
れ、「０００６」の検査で保存された画像データの数を示す「２２」が保存されている。
また、「０００７」の検査で保存された画像データの数を示す「１７」が保存されている
。
【００３５】
「ＩｍｇＩＤ」の欄には、「ＥＩＤ」の欄における「０００１」の検査ＩＤで識別され
る検査で第１の記憶装置２１０に保存された各画像データを識別する画像ＩＤを示す「Ｉ
ｍａ１」乃至「Ｉｍａ２０」が保存されている。また、「０００２」の検査で保存された
各画像データの画像ＩＤを示す「Ｉｍｂ１」乃至「Ｉｍｂ８」が保存され、「０００３」
の検査で保存された各画像データの画像ＩＤを示す「Ｉｍｃ１」乃至「Ｉｍｃ７」が保存
されている。また、「０００４」の検査で保存された各画像データの画像ＩＤを示す「Ｉ
ｍｄ１」乃至「Ｉｍｄ１５」が保存され、「０００５」の検査で保存された各画像データ
の画像ＩＤを示す「Ｉｍｅ１」乃至「Ｉｍｅ２０」が保存されている。また、「０００６
」の検査で保存された各画像データの画像ＩＤを示す「Ｉｍｆ１」乃至「Ｉｍｆ２２」が
保存され、「０００７」の検査で保存された各画像データの画像ＩＤを示す「Ｉｍｇ１」
乃至「Ｉｍｇ１７」が保存されている。
【００３６】
「−＞」の欄は、第１の記憶装置２１０に保存された画像データ及び検査情報のうち、
第２の記憶装置２２０に引き継いで保存する画像データ及び検査情報に付加された引継ぎ
マークを保存するために設けられている。ここでは、引継ぎマークが付加された画像デー
タ及び検査情報がないため、空白になっている。
【００３７】
内蔵記憶部２４の履歴データベースには、第１の記憶装置２１０に保存された検査情報
の一覧表２１１に画像データの保存場所の欄を加えて検査情報の履歴を示す一覧表が保存
されている。
【００３８】
図４は、履歴データベースに保存された検査情報の履歴の一覧表を示した図である。こ
の履歴の一覧表２４２が図３に示した検査情報の一覧表２１１と異なる点は、履歴の一覧
表２４２には「ＨＤＤＩＤ」の欄が設けられている点である。そして、「ＨＤＤＩＤ」の
欄には、「０００１」乃至「０００７」の検査で保存された画像データの保存場所が第１
の記憶装置２１０であることを示す「ＨＤＤ１」が保存されている。
【００３９】
ここで、超音波診断装置１００の操作者により第１の記憶装置２１０に保存された検査
情報の一覧表２１１を表示部１３に表示させる入力が操作部１４から行われると、表示部
１３に検査情報の一覧表２１１の一部が表示される。
【００４０】
図５は、表示部１３に検査情報の一覧表２１１の一部が表示された画面を示した図であ
る。この画面３０は、第１乃至第４の表示エリア３０１乃至３０４により構成される。そ
して、第１の表示エリア３０１には、インターフェース２１に取り付けられた第１の記憶
装置２１０に画像データ及び検査情報の保存が可能な空き領域の容量を示す「１００ＧＢ
」が表示されている。
【００４１】
第２の表示エリア３０２には「ＨＤＤ」等と表記されたタブが表示され、「ＨＤＤ」の
タブエリアに検査情報の一覧表２１１の一部が表示されている。「ＨＤＤ」のタブエリア
に表示された一覧表２１２は、検査情報にマークが付加されているか否かを示す「○」の
欄と、検査情報にプロテクトが付加されているか否かを示す「□」の欄とにより構成され
る。また、図３に示した検査情報の一覧表２１１の各欄のうちの「ＥＩＤ」、「Ｎａｍｅ
」、「Ｄａｔｅ」、「Ｔｙｐｅ」、「Ｓｅｒ」、「Ｉｍｇ」及び「−＞」の欄により構成
される。
【００４２】
「○」、「□」及び「−＞」の欄は、空白になっている。また、「ＥＩＤ」の欄には、
検査情報の一覧表２１１における「ＥＩＤ」の欄に保存された検査ＩＤのうちの、例えば
「０００１」乃至「０００４」の検査ＩＤが表示されている。また、「Ｎａｍｅ」、「Ｄ
ａｔｅ」、「Ｔｙｐｅ」、「Ｓｅｒ」、「Ｉｍｇ」及び「−＞」の各欄には、「０００１
」、「０００２」、「０００３」及び「０００４」の検査ＩＤで識別される検査の患者名
、検査日、タイプ、シリーズ数及び画像データの数が表示されている。
【００４３】
なお、操作部１４のスクロール操作により、「０００１」、「０００２」、「０００３
」及び「０００４」の検査ＩＤ以外の検査ＩＤで識別される検査情報を表示させることが
できる。
【００４４】
第３の表示エリア３０３は空白になっており、第２の表示エリア３０２に表示された一
覧表２１２の検査情報のうち、操作部１４から選択入力された検査情報に関連する第１の
記憶装置２１０に保存された画像データが表示される。
【００４５】
第４の表示エリア３０４には「Ｍａｉｎ」及び「Ｔｏｏｌ」と表記されたタブが表示さ
れ、「Ｔｏｏｌ」のタブエリアに複数の操作ボタンが表示されている。ここで、複数の操
作ボタンのうちの「Ｓｅｔｔｉｎｇ」と表記された操作ボタンを選択する入力が操作部１
４から行われると、画面３０上に重畳して引継ぎ条件を設定するための画面が表示される
。
【００４６】
図６は、表示部１３に表示された引継ぎ条件を設定するための画面を示した図である。
この画面３１は、「Ｇｅｎｅｒａｌ」、「Ｂｕｍ」、「Ｃｏｌｕｍｎ」及び「ＨＤＤ交換
」と表記された複数のタブと、「ＯＫ」及び「Ｃａｎｃｅｌ」と表記された２つの操作ボ
タンとにより構成される。
【００４７】
「ＨＤＤ交換」のタブエリアは、引継ぎ条件を設定するための「引継ぎ条件」及び引継
ぎ除外条件を設定するための「引継ぎ除外条件」の欄により構成される。そして、操作部
１４から「引継ぎ条件」及び「引継ぎ除外条件」の欄に各条件を設定するための入力が行
われた後に「ＯＫ」の操作ボタンをクリック操作する入力により、引継ぎ条件及び引継ぎ
除外条件が引継ぎ条件設定部２２に設定される。
【００４８】
「引継ぎ条件」の欄には、第１の記憶装置２１０に保存された画像データ及び検査情報
のうち、第２の記憶装置２２０に引き継いで保存する画像データ及び検査情報の引継ぎ条
件として、「Ｅｘａｍ  Ｄａｔｅ  Ｒａｎｇｅ  １０日前」、「ＯＢ  Ｈｉｓｔｏｒｙ」
、「マーク画像・検査」及び「プロテクト画像・検査」が表示されている。また、操作部
１４からの入力により５つの引継ぎ条件を設定するための５つの四角枠が表示されている
。
【００４９】
「Ｅｘａｍ  Ｄａｔｅ  Ｒａｎｇｅ  １０日前」は、１０日前から現在日までの期間内
に検査が行われ、その検査で生成された画像データを引継ぎの条件とする場合に設定され
る。ここで、「１０」は、操作部１４からの所望の正の整数の入力により設定された数で
ある。
【００５０】
「ＯＢ  Ｈｉｓｔｏｒｙ」は、「ＯＢ」のタイプの検査が予め設定された例えば最近の
１カ月の期間内に行われた患者の、予め設定された例えば過去１年分の検査の画像データ
及び検査情報を引継ぎの条件とする場合に設定される。また、「マーク画像・検査」は、
マークの印が付加された画像データ及び検査情報を引継ぎの条件とする場合に設定される
。また、「プロテクト画像・検査」は、プロテクトの印が付加された画像データ及び検査
情報を引継ぎの条件とする場合に設定される。
【００５１】
「引継ぎ除外条件」の欄には、第１の記憶装置２１０に保存された画像データ及び検査
情報のうち、第２の記憶装置２２０に引き継いでの保存を除外する画像データ及び検査情
報の３つの引継ぎ除外条件として、「転送済み画像・検査」及び「アーカイブ済み画像・
検査」が表示されている。また、操作部１４からの入力により３つの引継ぎ除外条件を設
定するための３つの四角枠が表示されている。
【００５２】
「転送済み画像・検査」は、ネットワーク３００を介して医用画像保管装置５００に送
信されて転送済みであることを示す情報が付加された画像データ及び検査情報を引継ぎか
ら除外する場合に設定される。また、「アーカイブ済み画像・検査」は、外部記憶装置２
００以外に保存されてアーカイブ済みであることを示す情報が付加された画像データ及び
検査情報を引継ぎから除外する場合に設定される。
【００５３】
ここでは、引継ぎ条件として設定された「Ｅｘａｍ  Ｄａｔｅ  Ｒａｎｇｅ  １０日前
」及び「ＯＢ  Ｈｉｓｔｏｒｙ」の四角枠内に、「レ」が表示されている。また、引継ぎ
除外条件として設定された「転送済み画像・検査」及び「アーカイブ済み画像・検査」の
四角枠内に、「レ」が表示されている。
【００５４】
このように、第１の記憶装置２１０に保存された画像データ及び検査情報のうち、第２
の記憶装置２２０に引き継いで保存する画像データ及び検査情報の引継ぎ条件を選択して
設定することができる。
【００５５】
画面３１で引継ぎ条件及び引継ぎ除外条件が操作部１４から設定入力された後、図５に
示した画面３０の第４の表示エリア３０４に表示された「Ｍａｉｎ」のタブを選択する入
力が行われると、表示部１３に「Ｍａｉｎ」のタブエリアが表示される。
【００５６】
図７は、表示部１３に「Ｍａｉｎ」のタブエリアが表示された画面を示した図である。
この画面３０ａが図５の画面３０と異なる点は、第４の表示エリア３０４に「Ｍａｉｎ」
のタブエリアが表示されている点である。そして、「Ｍａｉｎ」のタブエリアには、「−
＞」と表記された操作ボタン等の複数の操作ボタンが表示されている。
【００５７】
画面３０ａの第２の表示エリア３０２に表示された検査情報のうち、「０００１」の検
査で第１の記憶装置２１０に保存された画像データを表示させる入力が操作部１４から行
われると、表示部１３に画像データが表示される。
【００５８】
図８は、表示部１３に画像データが表示された画面を示した図である。この画面３０ｂ
が図７の画面３０ａと異なる点は、第３の表示エリア３０３に「０００１」の検査で第１
の記憶装置２１０に保存された「Ｉｍａ１」乃至「Ｉｍａ２０」で識別される２０の画像
データが表示されている点である。
【００５９】
ここで、引継ぎ条件に非該当の「Ｉｍａ１」乃至「Ｉｍａ２０」の画像データのうち、
引き継いで第２の記憶装置２２０に保存する画像データとして例えば「Ｉｍａ２」及び「
Ｉｍａ４」の画像データを選択入力した後、「Ｍａｉｎ」のタブエリアに「−＞」と表記
された操作ボタンを選択して引継ぎ入力が操作部１４から行われる。
【００６０】
引継ぎ部２３は、選択入力及び引継ぎ入力に応じて、第１の記憶装置２１０に保存され
た画像データ及び検査情報のうち、選択入力された画像データ及び検査情報に引継ぎマー
クを付加する。また、内蔵記憶部２４の履歴データベースに保存された検査情報のうち、
選択入力された検査情報に引継ぎマークを付加する。
【００６１】
ここでは、検査情報の一覧表２１１における「ＩｍｇＩＤ」の欄の選択入力された画像
データの画像ＩＤである「Ｉｍａ２」及び「Ｉｍａ４」に引継ぎマークを付加する。また
、「−＞」の欄の「０００１」の検査ＩＤで識別される、引継ぎマークが付加された画像
データの検査情報に引継ぎマークを付加する。また、「Ｉｍａ２」及び「Ｉｍａ４」で識
別される画像データに引継ぎマークを付加する。また、図４に示した履歴の一覧表２４２
に対しても検査情報の一覧表２１１の場合と同様に引継ぎマークを付加する。
【００６２】
このように、第１の記憶装置２１０に保存された画像データ及び検査情報のうち、引継
ぎ条件として非該当の画像データ及び検査情報に引継ぎマークを付加することができる。
【００６３】
また、引継ぎ部２３は、引継ぎ入力に応じて、第１の記憶装置２１０に保存された画像
データ及び検査情報のうち、図６の画面３１で設定された引継ぎ条件に該当する画像デー
タ及び検査情報の中から引継ぎ除外条件に該当する画像データ及び検査情報を除いた画像
データ及び検査情報に引継ぎマークを付加する。また、内蔵記憶部２４の履歴データベー
スに保存された検査情報のうち、図６の画面３１で設定された引継ぎ条件に該当する検査
情報の中から引継ぎ除外条件に該当する検査情報を除いた検査情報に引継ぎマークを付加
する。
【００６４】
ここでは、検査情報の一覧表２１１における「ＩｍｇＩＤ」の欄の「Ｉｍｂ１」乃至「
Ｉｍｂ８」及び「Ｉｍｃ１」乃至「Ｉｍｃ７」に引継ぎマークを付加する。また、「−＞
」の欄の「０００２」及び「０００３」の検査ＩＤで識別される検査情報に引継ぎマーク
を付加する。また、「Ｉｍｂ１」乃至「Ｉｍｂ８」及び「Ｉｍｃ１」乃至「Ｉｍｃ７」の
画像データに引継ぎマークを付加する。また、履歴の一覧表２４２に対しても検査情報の
一覧表２１１の場合と同様に引継ぎマークを付加する。
【００６５】
このように、引継ぎ条件が設定されている場合、第１の記憶装置２１０に保存された画
像データ及び検査情報のうち、引継ぎ条件に該当する画像データ及び検査情報に引継ぎマ
ークを付加することができる。また、引継ぎ除外条件が設定されている場合、第１の記憶
装置２１０に保存された画像データ及び検査情報のうち、引継ぎ条件に該当する画像デー
タ及び検査情報の中から引継ぎ除外条件に該当する画像データ及び検査情報を除いた画像
データ及び検査情報に引継ぎマークを付加することができる。
【００６６】
制御部５０は、第１の記憶装置２１０に保存された引継ぎマークが付加された画像デー
タ及び検査情報を表示部１３に表示させる。
【００６７】
図９は、表示部１３に引継ぎマークが付加された画像データ及び検査情報が表示された
画面を示した図である。この画面３０ｃが図８の画面３０ｂと異なる点は、第２の表示エ
リア３０２に引継ぎマークが付加された一覧表２１２ａが表示されている点と、第３の表
示エリア３０３に「Ｉｍａ１」乃至「Ｉｍａ２０」の画像データのうち、「Ｉｍａ２」及
び「Ｉｍａ４」の画像データ上に引継ぎマークである「−＞」が表示される点である。
【００６８】
一覧表２１２ａが画面３０ｂの一覧表２１２と異なる点は、「−＞」の欄の「０００１
」乃至「０００３」の検査ＩＤで識別される検査情報に引継ぎマークである「−＞」表示
されている点である。また、「Ｉｍｇ」の欄の「０００１」の検査ＩＤに関連する画像デ
ータの数として、引継ぎマークが付加された「Ｉｍａ２」及び「Ｉｍａ４」の画像データ
の数である「２」が表示される点である。
【００６９】
第１の記憶装置２１０に保存可能な画像データ及び検査情報の空き領域の容量が下限値
を下回ったとき、引継ぎ部２３は、第１の記憶装置２１０に保存された画像データ及び検
査情報のうち、引継ぎマークを付加した画像データ及び検査情報を読み出して、内蔵記憶
部２４のテンポラリデータベースに保存する。ここでは、「０００１」乃至「０００３」
の検査ＩＤで識別される検査情報、「Ｉｍａ２」及び「Ｉｍａ４」、「Ｉｍｂ１」乃至「
Ｉｍｂ８」、並びに「Ｉｍｃ１」乃至「Ｉｍｃ７」の画像データを内蔵記憶部２４のテン
ポラリデータベースに保存する。
【００７０】
このように、第１の記憶装置２１０に保存可能な画像データ及び検査情報の空き領域の
容量が下限値を下回ったとき、第１の記憶装置２１０に保存された画像データ及び検査情
報のうち、引継ぎマークが付加された画像データ及び検査情報を内蔵記憶部２４のテンポ
ラリデータベースに保存することができる。
【００７１】
そして、第１の記憶装置２１０を新しい第２の記憶装置２２０に交換するために、図５
に示すように、第４の表示エリア３０４の「Ｔｏｏｌ」のタブエリアに表示された「ＨＤ
Ｄ」と表記される操作ボタンを選択する入力が操作部１４から行われると、表示部１３に
ダイアログボックスが表示される。
【００７２】
図１０は、表示部１３にダイアログボックスが表示された画面を示した図である。この
画面３０ｄの第１の表示エリア３０１には、第１の記憶装置２１０に保存可能な画像デー
タ及び検査情報の空き領域の容量が下限値を下回ったことを示す「１ＭＢ」が表示されて
いる。そして、第２の表示エリア３０２上にダイアログボックス３２が表示され、第３の
表示エリア３０３上にダイアログボックス３３が表示されている。
【００７３】
ダイアログボックス３２は、第１の記憶装置２１０から新しい第２の記憶装置２２０に
交換するときに入力するための「新記憶装置に交換する」と表記された操作ボタンを備え
ている。また、第２の記憶装置２２０に交換した後に第１の記憶装置２１０に保存された
引継ぎマークが付加されていない画像データを参照したいときに、第１の記憶装置２１０
に戻すために入力する「参照記憶装置に交換する」と表記された操作ボタンを備えている
。また、第１又は第２の記憶装置２１０，２２０の一方の記憶装置から他方の記憶装置へ
交換するための入力を取り消すための「Ｃａｎｃｅｌ」と表記された操作ボタンを備えて
いる。
【００７４】
ダイアログボックス３３は、第１の記憶装置２１０を取り外した後に管理する管理者の
氏名を入力するための「Ｎａｍｅ」の欄を備えている。また、「Ｎａｍｅ」の欄に入力さ
れた氏名を有効にする入力を行うための「ＯＫ」と表記された操作ボタンを備えている。
また、「Ｎａｍｅ」の欄に入力された氏名を取り消す入力を行うための「Ｃａｎｃｅｌ」
と表記された操作ボタンを備えている。
【００７５】
ここでは、操作部１４からの操作により、ダイアログボックス３２の「新記憶装置に交
換する」の操作ボタンの選択入力に応じてダイアログボックス３３が表示される。そして
、ダイアログボックス３３の「Ｎａｍｅ」の欄に管理者の氏名である「Ｔ．Ｔ」を入力し
た後、「ＯＫ」の操作ボタンを選択して入力を行う。
【００７６】
第１の記憶装置２１０がインターフェース２１から取り外されると、制御部５０はイン
ターフェース２１からの外部記憶装置２００の取り外しを検出し、図１１に示すように、
第１の記憶装置２１０が取り外されたことを知らせるメッセージである例えば「接続して
いる記憶装置がありません。」を表示部１３の第２の表示エリア３０２に表示させる。次
いで、第２の記憶装置２２０がインターフェース２１に取り付けられると、インターフェ
ース２１への取り付けを検出し、第２の記憶装置２２０の初期設定中であることを知らせ
るメッセージである「記憶装置を準備中です。」を表示させる。
【００７７】
制御部５０は、インターフェース２１からの第１の記憶装置２１０の取り外しに応じて
、ＨＤＤテーブル２４１に保存された第１の記憶装置２１０の状態を示す情報を更新する
。また、インターフェース２１への第２の記憶装置２２０の初めての取り付けに応じて、
第２の記憶装置２２０の初期設定としてＩＤを発行する。次いで、発行したＩＤ及び第２
の記憶装置２２０の状態を示す情報をＨＤＤテーブル２４１に保存する。
【００７８】
図１２は、第１及び第２の記憶装置２１０，２２０の情報が保存されたＨＤＤテーブル
を示した図である。このＨＤＤテーブル２４１ａの「ＩＤ」の欄には、第１及び第２の記
憶装置２１０，２２０のＩＤを示す「ＨＤＤ１」及び「ＨＤＤ２」が保存されている。ま
た、「状態」の欄には、第１の記憶装置２１０が取り外されて使用不可能な状態であるこ
とを示す「保管」が保存されている。また、第２の記憶装置２２０が使用可能な状態であ
ることを示す「使用中」が保存されている。また、「管理者」の欄には、操作部１４から
入力された第１の記憶装置２１０を取り外して保管する管理者の氏名である「Ｔ．Ｔ」が
保存されている。
【００７９】
このように、第１の記憶装置２１０を取り外して保管する管理者の氏名を、ＨＤＤテー
ブル２４１ａに保存することができる。これにより、インターフェース２１から取り外さ
れて保管状態の第１の記憶装置２１０を、保管した管理者に問い合わせて容易に見つけ出
すことができる。
【００８０】
第１及び第２の記憶装置２１０，２２０の情報の保存が終了すると、引継ぎ部２３は、
内蔵記憶部２４のテンポラリデータベースに保存した引継ぎマークが付加される画像デー
タ及び検査情報を読み出して、第２の記憶装置２２０に書き込み保存する。そして、第２
の記憶装置２２０に保存した後、内蔵記憶部２４のテンポラリデータベースの画像データ
及び検査情報を削除する。
【００８１】
このように、第２の記憶装置２２０のインターフェース２１への取り付けに応じて、内
蔵記憶部２４のテンポラリデータベースに保存された引継ぎマークが付加される画像デー
タ及び検査情報を、第２の記憶装置２２０に保存することができる。
【００８２】
制御部５０は、内蔵記憶部２４の履歴データベースに保存された検査情報のうち、引継
ぎマークが付加された画像データ及び検査情報の保存場所を、引継ぎ保存される場所に更
新する。
【００８３】
図１３は、引継ぎマークが付加された画像データ及び検査情報の保存場所が引継ぎ保存
された場所に更新された履歴の一覧表を示した図である。この履歴の一覧表２４２ａが、
図４の履歴の一覧表２４２と異なる点は、「−＞」の欄の「０００１」乃至「０００３」
の検査ＩＤで識別される検査情報に引継ぎマークである「−＞」が保存されている点と、
「ＨＤＤＩＤ」の欄の「０００１」乃至「０００３」の検査ＩＤで識別される画像データ
及び検査情報が引継ぎ保存された場所が第２の記憶装置２２０であることを示す「ＨＤＤ
２」に更新されている点である。
【００８４】
更新が終了すると、制御部５０は、第２の記憶装置２２０に引継ぎ保存された画像デー
タ及び検査情報を表示部１３に表示させる。
【００８５】
図１４は、表示部１３に引継ぎ保存された画像データ及び検査情報が表示された画面を
示した図である。  
この画面３０ｆの第１の表示エリア３０１には、第２の記憶装置２２０に画像データ及
び検査情報の保存が可能な空き領域の容量を示す「５００ＧＢ」が表示されている。また
、第２の表示エリア３０２には、第２の記憶装置２２０に引継ぎ保存された検査情報の一
覧を示す、図９の一覧表２１２から「０００４」の検査ＩＤで識別される検査情報を除い
た一覧表２１２ａが表示されている。
【００８６】
また、第３の表示エリア３０３には、第２の記憶装置２２０に引継ぎ保存された例えば
「Ｉｍａ２」及び「Ｉｍａ４」の画像データが表示されている。なお、操作部１４から第
２の表示エリア３０２に表示された「０００２」の検査ＩＤを選択する入力が行われると
、第３の表示エリア３０３には第２の記憶装置２２０に引継ぎ保存された「Ｉｍｂ１」乃
至「Ｉｍｂ８」の画像データが表示される。また、「０００３」の検査ＩＤを選択する入
力が行われると、第３の表示エリア３０３には第２の記憶装置２２０に引継ぎ保存された
「Ｉｍｃ１」乃至「Ｉｍｃ８」の画像データが表示される。
【００８７】
このように、第１の記憶装置２１０に保存された引継ぎマークが付加される画像データ
及び検査情報を、第２の記憶装置２２０に保存することにより、保管状態の第１の記憶装
置２１０に保存された画像データ及び検査情報が必要になる度に、第２の記憶装置２２０
を第１の記憶装置２１０に付け替えることなく、表示部１３に表示させることができる。
【００８８】
次に、第２の記憶装置２２０が超音波診断装置１００に取り付けられた後、参照したい
画像データ及び検査情報が第２の記憶装置２２０に引き継がれずに第１の記憶装置２１０
に保存されている場合、参照したい画像データ及び検査情報を超音波診断装置１００の表
示部１３に表示させるまでの動作を説明する。
【００８９】
図１４に示した画面３０ｆの第４の表示エリア３０４に表示された「Ｈｉｓｔｏｒｙ  
Ｂｒｏｗｓｅｒ」と表記される操作ボタンの選択入力が操作部１４から行われると、内蔵
記憶部２４の履歴データベースに保存された履歴の一覧表２４２ａ及びＨＤＤテーブル２
４１ａに保存された第１の記憶装置２１０の情報が表示部１３に表示される。
【００９０】
図１５は、表示部１３に履歴の一覧表２４２ａ及び第１の記憶装置２１０情報が表示さ
れた画面を示した図である。この画面３４は、第１及び第２の表示エリア３０１，３０２
、第４の表示エリア３０４、及び第５及び第６の表示エリア３０５，３０６により構成さ
れる。
【００９１】
第１の表示エリア３０１には、第２の記憶装置２２０に保存が可能な空き領域の容量を
示す「５００ＧＢ」が表示されている。また、第２の表示エリア３０２には、履歴の一覧
表２４２ａの検査情報の一部が一覧表２４３として表示されている。また、第４の表示エ
リア３０４には、「Ｔｏｏｌ」タブエリアの各操作ボタンが表示されている。
【００９２】
第２の表示エリア３０２に表示された一覧表２４３は、履歴の一覧表２４２ａを構成し
ている「ＥＩＤ」、「Ｎａｍｅ」、「Ｄａｔｅ」、「Ｔｙｐｅ」及び「ＨＤＤＩＤ」の欄
に「Ａｒ／Ｔｒ」の欄を加えた各欄により構成される。そして、「ＥＩＤ」の欄には、「
０００１」乃至「０００４」の検査ＩＤが表示されている。また、「Ｎａｍｅ」、「Ｄａ
ｔｅ」、「Ｔｙｐｅ」及び「ＨＤＤＩＤ」の各欄には、履歴の一覧表２４２ａの各欄に保
存された「０００１」乃至「０００４」の検査ＩＤで識別される患者名、検査日、タイプ
、並びに第１又は第２の記憶装置２１０，２２０のＩＤの各検査情報が表示されている。
また、「Ａｒ／Ｔｒ」の欄には、「０００１」乃至「０００４」の検査ＩＤで識別される
検査で生成された画像データうち、転送済み及びアーカイブ済みの画像データの数を示す
「０」が表示されている。
【００９３】
第５の表示エリア３０５には、第２の表示エリア３０２における一覧表２４３の「Ａｒ
／Ｔｒ」の欄に表示された数の画像データのＩＤ及びこのＩＤの画像データが転送及びア
ーカイブされた場所を示す情報が表示される。ここでは、転送済み又はアーカイブ済みの
画像データがないため空白になっている。
【００９４】
第６の表示エリア３０６には、参照する画像データとして一覧表２４３の例えば「００
０４」の検査ＩＤを選択する入力により、図１２のＨＤＤテーブル２４１ａに保存された
情報に基づいて、「０００４」の検査ＩＤで識別される画像データ及び検査情報の保存場
所が第１の記憶装置２１０であることを示す「ＨＤＤ１」と、第１の記憶装置２１０がイ
ンターフェース２１から取り外されて保管状態であることを示す「保管」と、第１の記憶
装置２１０を取り外した管理者の氏名である「Ｔ．Ｔ」が表示されている。
【００９５】
ここで、表示部１３に図９のダイアログボックス３２を表示させてから、「参照記憶装
置に交換する」と表記された操作ボタンの選択入力が行われた後、第２の記憶装置２２０
がインターフェース２１から取り外されると、表示部１３に「接続している記憶装置があ
りません。」のメッセージが表示される。次いで、第１の記憶装置２１０が取り付けられ
ると、表示部１３に「記憶装置を準備中です。」のメッセージが表示される。
【００９６】
制御部５０は、第２の記憶装置２２０の取り外し及び第１の記憶装置２１０の取り付け
に応じて、ＨＤＤテーブル２４１ａに保存された第１及び第２の記憶装置２１０，２２０
の情報を更新する。
【００９７】
図１６は、第２の記憶装置２２０の取り外し及び第１の記憶装置２１０の取り付けに応
じて、第１及び第２の記憶装置２１０，２２０の情報が更新されたＨＤＤテーブルを示し
た図である。このＨＤＤテーブル２４１ｂが図１２のＨＤＤテーブル２４１ａと異なる点
は、保管されていた第１の記憶装置２１０を参照のためにインターフェース２１に取り付
けた状態であることを示す「保管（接続）」に更新されている点と、使用していた第２の
記憶装置２２０を参照のために取り外した状態であることを示す「切断中」に更新されて
いる点である。
【００９８】
引継ぎ部２３は、第１の記憶装置２１０に保存された画像データ及び検査情報のうち、
引継ぎマークが付加されていない画像データ及び検査情報を読み出す。制御部５０は、引
継ぎ部２３に読み出された画像データ及び検査情報を表示部１３に表示させる。
【００９９】
図１７は、表示部１３に引継ぎマークが付加されていない画像データ及び検査情報が表
示された画面を示した図である。この画面３０ｇの第１の表示エリア３０１には、保管さ
れていた第１の記憶装置２１０を取り付けた状態であることを示す「Ａｒｃｈｉｖｅｄ」
が表示されている。また、第２の表示エリア３０２には、図５の画面３０に表示された一
覧表２１２の各欄と同じ欄により構成される一覧表２１２ｂが表示されている。
【０１００】
一覧表２１２ｂにおける「ＥＩＤ」、「Ｎａｍｅ」、「Ｄａｔｅ」、「Ｔｙｐｅ」、「
Ｓｅｒ」及び「Ｉｍｇ」の各欄には、第１の記憶装置２１０に保存された引継ぎマークが
付加されていない「０００４」乃至「０００７」の検査ＩＤで識別される検査情報が表示
されている。また、「○」、「□」及び「−＞」の各欄は空白になっている。
【０１０１】
このように、保管状態の第１の記憶装置２１０のインターフェース２１への取り付けに
応じて、第１の記憶装置２１０に保存された引継ぎマークが付加されていない画像データ
及び検査情報を表示部１３に表示させ、引継ぎマークが付加された画像データ及び検査情
報の表示を無効にすることができる。
【０１０２】
第３の表示エリア３０３には、第２の表示エリア３０２の例えば「０００４」の検査Ｉ
Ｄの検査で第１の記憶装置２１０に保存された「Ｉｍｄ１」乃至「Ｉｍｄ１５」で識別さ
れる画像データが表示されている。また、第４の表示エリア３０４には、「Ｍａｉｎ」の
タブエリアの複数の操作ボタンが表示されている。そして、「Ｍａｉｎ」のタブエリアの
複数の操作ボタンのうち、「○」、「□」及び「Ｄｅｌｅｔｅ」と表記された操作ボタン
は、第２の表示エリア３０２の一覧表２１２ｂの各検査情報の更新の入力を無効とするこ
とが識別可能なように表示されている。
【０１０３】
ここで、第２の表示エリア３０２に表示された一覧表２１２ｂの「０００４」の検査Ｉ
Ｄを選択入力した後、第４の表示エリア３０４の「−＞」の操作ボタンを選択して引継ぎ
入力が操作部１４から行われると、図１８に示すように、「−＞」の欄の「０００４」の
検査情報に「−＞」が付加された一覧表２１２ｃが表示され、「Ｉｍｄ１」乃至「Ｉｍｄ
１５」の画像データ上に「−＞」が付加された画像データが表示される。
【０１０４】
引継ぎ部２３は、引継ぎ入力に応じて、第１の記憶装置２１０に保存された「０００４
」の検査ＩＤで識別される検査情報及び「Ｉｍｄ１」乃至「Ｉｍｄ１５」で識別される画
像データに引継ぎマークを付加する。また、引継ぎ入力に応じて、「０００４」の検査Ｉ
Ｄで識別される検査情報及び「Ｉｍｄ１」乃至「Ｉｍｄ１５」で識別される画像データを
、第１の記憶装置２１０から読み出して内蔵記憶部２４のテンポラリデータベースに一時
保存する。
【０１０５】
第１の記憶装置２１０を取り外すために、第４の表示エリア３０４に表示された「ＨＤ
Ｄ」の操作ボタンを選択する入力が行われると、表示部１３にダイアログボックス３２，
３３が表示される。次いで、ダイアログボックス３２の「参照ＨＤＤに交換する」の操作
ボタンを選択入力し、更にダイアログボックス３３の「Ｎａｍｅ」の欄に第１の記憶装置
２１０を保管する管理者の氏名である「Ｔ．Ｉ」を入力した後、「ＯＫ」の操作ボタンの
入力を行う。
【０１０６】
このように、第１の記憶装置２１０を取り外す度に管理者の氏名の入力を行うことがで
きる。
【０１０７】
第１の記憶装置２１０がインターフェース２１から取り外された後、切断中の第２の記
憶装置２２０がインターフェース２１に取り付けられると、制御部５０は、ＨＤＤテーブ
ル２４１ｂに保存された第１及び第２の記憶装置２１０，２２０の情報を更新する。
【０１０８】
図１９は、第１の記憶装置２１０の取り外し及び第２の記憶装置２２０の取り付けに応
じて、第１及び第２の記憶装置２１０，２２０の情報が更新されたＨＤＤテーブルを示し
た図である。このＨＤＤテーブル２４１ｃが図１６のＨＤＤテーブル２４１ｂと異なる点
は、「状態」の欄に第１の記憶装置２１０が取り外されて保管状態であることを示す「保
管」に更新されている点と、第２の記憶装置２２０が使用可能な状態であることを示す「
使用中」に更新されている点と、「管理者」の欄に第１の記憶装置２１０を取り外した管
理者の氏名である「Ｔ．Ｉ」に更新されている点である。
【０１０９】
このように、第１の記憶装置２１０を取り外す度に管理者の氏名の入力を行うことによ
り、ＨＤＤテーブル２４１ｂに保存された管理者の氏名を更新してＨＤＤテーブル２４１
ｃに保存することができる。これにより、保管する管理者が代わった場合でもその管理者
に問い合わせて保管状態の第１の記憶装置２１０を容易に見つけ出すことができる。
【０１１０】
更新が終了すると、引継ぎ部２３は、内蔵記憶部２４のテンポラリデータベースに保存
した引継ぎマークが付加される画像データ及び検査情報を第２の記憶装置２２０に書き込
み保存する。第２の記憶装置２２０に保存した後、内蔵記憶部２４のテンポラリデータベ
ースに一時保存した画像データ及び検査情報を削除する。また、内蔵記憶部２４の履歴デ
ータベースに保存された履歴の一覧表２４２ａの検査情報に引継ぎマークを付加する。
【０１１１】
このように、第２の記憶装置２２０のインターフェース２１への取り付けに応じて、第
１の記憶装置２１０に保存された画像データ及び検査情報のうち、新たに引継ぎマークが
付加された画像データ及び検査情報を第２の記憶装置２２０に保存することができる。
【０１１２】
図２０は、内蔵記憶部２４の履歴データベースに保存された検査情報に引継ぎマークが
付加された履歴の一覧表を示した図である。この履歴の一覧表２４２ｂが、図１３に示し
た履歴の一覧表２４２ａと異なる点は、「−＞」の欄の「０００４」の検査ＩＤで識別さ
れる検査情報に引継ぎマークが付加されたことを示す「−＞」が保存されている点と、「
ＨＤＤＩＤ」の欄に「０００４」の検査ＩＤで識別される画像データ及び検査情報が第２
の記憶装置２２０に引き継いで保存されていることを示す「ＨＤＤ２」に変更保存されて
いる点である。
【０１１３】
変更保存が終了すると、制御部５０は、第２の記憶装置２２０に引継ぎ保存された画像
データ及び検査情報を表示部１３に表示させる。
【０１１４】
図２１は、表示部１３に引継ぎ保存された画像データ及び検査情報が表示された画面を
示した図である。この画面３０ｉが図１４の画面３０ｆと異なる点は、画面３０ｆに表示
された一覧表２１２ａにおける「−＞」の欄の「０００４」の検査ＩＤで識別される検査
情報に、引継ぎマークが付加された一覧表２１２ｄが表示されている点と、引継ぎマーク
が付加された「Ｉｍｄ１」乃至「Ｉｍｄ１５」の画像データが表示されている点である。
【０１１５】
次に、第２の記憶装置２２０が超音波診断装置１００に取り付けられた後、参照したい
画像データ及び検査情報が第２の記憶装置２２０に引き継がれずに第１の記憶装置２１０
に保存されている場合、参照したい画像データ及び検査情報をワークステーション４００
の表示部８０に表示させるまでの動作を説明する。
【０１１６】
超音波診断装置１００には、第２の記憶装置２２０が取り付けられている。そして、図
１４の画面３０ｇに示すように、第２の記憶装置２２０には、第１の記憶装置２１０から
引き継いだ「Ｉｍａ２」、「Ｉｍａ４」、「Ｉｍｂ１」乃至「Ｉｍｂ８」及び「Ｉｍｃ１
」乃至「Ｉｍｃ７」の画像データ、並びに「０００１」乃至「０００３」の検査ＩＤで識
別される検査情報が保存されている。
【０１１７】
ワークステーション４００の操作部９０から超音波診断装置１００に画像データ及び検
査情報を要求する入力が行われると、インターフェース６０から要求の情報が超音波診断
装置１００に送信される。超音波診断装置１００の制御部５０は、ワークステーション４
００からの要求に対して、内蔵記憶装部２４の履歴データベースに保存された検査情報を
検索する。そして、要求に応える検査情報をインターフェース４０を介して、ワークステ
ーション４００に送信する。ワークステーション４００の制御部９１は、インターフェー
ス６０が超音波診断装置１００から受信した検査情報を表示部８０に表示させる。
【０１１８】
図２２は、表示部８０に超音波診断装置１００から受信した検査情報が表示された画面
を示した図である。この画面８１は、第１乃至第３の表示エリア８１１，８１２，８１３
により構成される。そして、第１の表示エリア８１１には、内蔵記憶部７０の空き領域の
容量を示す「５００ＧＢ」が表示されている。また、第２の表示エリア８１２には「ＨＤ
Ｄ」、「Ｓｅｒｖｅ」及び「ＵＳＢＨＤＤ」等のタブが表示され、「Ｓｅｒｖｅｒ」のタ
ブエリアに超音波診断装置１００から受信した検査情報の一覧表８２が表示されている。
【０１１９】
一覧表８２は、「ＥＩＤ」、「Ｎａｍｅ」、「Ｄａｔｅ」、「Ｔｙｐｅ」、「Ｍｏｄａ
ｌｉｔｙ」及び「ＨＤＤＩＤ」の各欄により構成される。そして、「ＥＩＤ」、「Ｎａｍ
ｅ」、「Ｄａｔｅ」及び「Ｔｙｐｅ」の各欄には、例えば「０００１」乃至「０００５」
の検査ＩＤ、この検査ＩＤで識別される検査の患者名、検査日及びタイプが表示されてい
る。また、「Ｍｏｄａｌｉｔｙ」の欄には、「０００１」乃至「０００５」の検査で使用
された超音波診断装置１００を示す「ＵＳ」が表示されている。
【０１２０】
「ＨＤＤＩＤ」の欄は、「０００１」乃至「０００３」の検査ＩＤで識別される検査情
報に対して、画像データが超音波診断装置１００に取り付けられた第２の記憶装置２２０
に保存されているため、空白になっている。また、「０００４」及び「０００５」の検査
ＩＤで識別される検査情報に対して、画像データが第２の記憶装置２２０に引き継がれず
に保管状態の第１の記憶装置２１０に保存されているため、「ＨＤＤ１」が表示されてい
る。
【０１２１】
第３の表示エリア８１３には、「Ｍａｉｎ」及び「Ｔｏｏｌ」のタブが表示されている
。そして、「Ｍａｉｎ」のタブエリアは、「Ｓｅｒｖｅｒ  Ｌｉｓｔ」の欄と、入力有効
に表示された「Ｑｕｅｒｙ」、「Ｌｏａｄ  ｔｏ  ＨＤＤ」及び「Ｊｏｂ  Ｓｔａｔｕｓ
」と表記された操作ボタンと、入力無効に表示された「Ｑｕｅｒｙ  Ａｂｏｒｔ」と表記
される操作ボタンとにより構成される。
【０１２２】
「Ｓｅｒｖｅｒ  Ｌｉｓｔ」の欄には、超音波診断装置１００を示す「ＵＳＳｒｖ１」
等が選択可能に表示されている。そして、「ＵＳＳｒｖ１」を選択入力し、「Ｑｕｅｒｙ
」の操作ボタンを選択する入力により、第２の表示エリア８１２に一覧表８２が表示され
ている。
【０１２３】
このように、ワークステーション４００から要求した画像データがインターフェース２
１に取り付けられた第２の記憶装置２２０に保存されていない場合、その画像データの保
存場所の情報を超音波診断装置１００からワークステーション４００に返信することがで
きる。
【０１２４】
ここで、参照する画像データに関連する検査情報として、一覧表８２における「ＥＩＤ
」の欄の「０００４」の検査ＩＤを選択する入力が行われると、画像データが保管された
状態の第１の記憶装置２１０に保存され、超音波診断装置１００から取り寄せることがで
きないため、「Ｌｏａｄ  ｔｏ  ＨＤＤ」の操作ボタンが入力不可能に変更表示される。
【０１２５】
ワークステーション４００の操作者は、「０００４」の検査ＩＤに関連する画像データ
を取得するため、超音波診断装置１００から第１の記憶装置２１０の保管の管理者の情報
を取り寄せる。そして、第１の記憶装置をインターフェース６１に取り付けると、「Ｍａ
ｉｎ」のタブエリアに表示された「Ｌｏａｄ  ｔｏ  ＨＤＤ」の操作ボタンが入力可能に
変更表示される。
【０１２６】
操作部９０から「Ｌｏａｄ  ｔｏ  ＨＤＤ」の操作ボタンが選択入力され、更に「Ｌｏ
ａｄ  ｔｏ  ＨＤＤ」が選択入力されると、制御部９１は、第１の記憶装置２１０に保存
された画像データ及び検査情報のうち、引継ぎマークが付加されていない「０００４」の
検査ＩＤに関連する画像データ及び検査情報を内蔵記憶部７０に保存すると共に表示部８
０に表示させる。
【０１２７】
図２３は、表示部８０に引継ぎマークが付加されていない画像データ及び検査情報が表
示された画面を示した図である。この画面８１ａが図２２の画面８１と異なる点は、画面
８１の第２の表示エリア８１２が第４及び第５の表示エリア８１４，８１５に置き換えら
れている点と、第３の表示エリア８１３の「Ｍａｉｎ」のタブエリアに表示された操作ボ
タンが異なる点である。
【０１２８】
第４の表示エリア８１４には、「ＵＳＢＨＤＤ」のタブエリアに第１の記憶装置２１０
から読み出された検査情報の一覧表８３が表示されている。一覧表８３は、図１７の画面
３０ｇの一覧表２１２ｂから「−＞」の欄を除いた検査情報が表示されている。また、第
５の表示エリア８１５には、「Ｉｍａｇｅ」のタブエリアに「０００４」の検査ＩＤで識
別される検査で第１の記憶装置２１０に保存された「Ｉｍｄ１」乃至「Ｉｍｄ１５」の画
像データが表示されている。
【０１２９】
第３の表示エリア８１３には、「Ｃｏｐｙ」、「Ｃｏｎｖｅｒｔ」、「Ｐｒｉｎｔ」、
「Ｐｒｉｎｔ  ｔｏ」、「Ｌｏａｄ  ｔｏ  ＨＤＤ」、「ＨＤＤ」、「Ｊｏｂ  Ｓｔａｔ
ｕｓ」及び［Ｖｉｅｗ］と表記された各操作部ボタンが表示されている。そして、第１の
記憶装置２１０の画像データ及び検査情報に対して更新が発生しない「Ｃｏｐｙ」、「Ｃ
ｏｎｖｅｒｔ」、「Ｐｒｉｎｔ」及び［Ｖｉｅｗ］等の操作ボタンは、入力可能であるこ
とが分かるように識別表示されている。
【０１３０】
このように、第１の記憶装置２１０をワークステーション４００のインターフェース６
１に取り付けることにより、第１の記憶装置２１０に保存された引継ぎマークが付加され
ていない画像データ及び検査情報を表示部８０に表示させることができる。
【０１３１】
参照する画像データの表示部８０への拡大表示の入力や、参照する画像データ及び検査
情報の内蔵記憶部７０への保存等の必要な入力が行われた後、更に第３の表示エリア８１
３に表示された「ＨＤＤ」の操作ボタンを選択する入力が行われると、第１の記憶装置２
１０のインターフェース６１からの取り外しが可能となる。
【０１３２】
なお、上記実施形態に限定されるものではなく、超音波診断装置１００、ワークステー
ション４００及び医用画像保管装置５００と通信可能なインターフェース、超音波診断装
置１００の表示部１３の画面と同じ画面の表示が可能な表示部、及び画像処理部２０の各
ユニットと、各ユニットを制御する制御部と、画像処理部２０の保存処理を実行させるた
めの入力が可能な操作部とを備えた医用画像処理装置を設けて実施するようにしてもよい
。
【０１３３】
この場合、第１の記憶装置２１０を医用画像処理装置に取り付け、第１の記憶装置２１
０に検査により超音波診断装置１００で生成された画像データ及び検査情報を保存する。
そして、引継ぎ条件設定部２２に設定された引継ぎ条件に基づいて第１の記憶装置２１０
に保存された画像データ及び検査情報を読み出して、第１の記憶装置２１０が取り外され
た後に取り付けられる第２の記憶装置２２０に引き継いで保存するように実施してもよい
。
【０１３４】
また、第２の記憶装置２２０が医用画像処理装置に取り付けられた後、参照したい画像
データ及び検査情報が第２の記憶装置２２０に引き継がれずに第１の記憶装置２１０に保
存されている場合、第２の記憶装置２２０を取り外してから第１の記憶装置２１０を医用
画像処理装置に取り付け、第２の記憶装置２２０に引き継ぎ保存された画像データ及び検
査情報以外の、参照したい画像データ及び検査情報を第１の記憶装置２１０から読み出し
て医用画像処理装置の表示部に表示させるように実施してもよい。この場合、第１の記憶
装置２１０を取り外した後の第２の記憶装置２２０の医用画像処理装置への取り付けに応
じて、第１の記憶装置２１０に保存された画像データ及び検査情報のうち、新たに引継ぎ
マークが付加された画像データ及び検査情報を第２の記憶装置２２０に保存するように実
施する。
【０１３５】
更に、第２の記憶装置２２０が医用画像処理装置に取り付けられた後、参照したい画像
データ及び検査情報が第２の記憶装置２２０に引き継がれずに第１の記憶装置２１０に保
存されている場合、ワークステーション４００からの要求に応じてその保存場所の情報を
医用画像処理装置からワークステーション４００に返信するように実施してもよい。
【０１３６】
以上述べた実施形態によれば、各第１及び第２の記憶装置２１０，２２０を着脱可能な
インターフェース２１と、第１の記憶装置２１０に保存された画像データ及び検査情報の
うち、第２の記憶装置２２０に引き継いで保存する画像データ及び検査情報の引継ぎ条件
の設定が可能な引継ぎ条件設定部２２とを有する画像処理部２０を備え、インターフェー
ス２１に取り付けられた第１の記憶装置２１０に保存される画像データ及び検査情報の空
き領域の容量が下限値を下回ったとき、第１の記憶装置２１０に保存された引継ぎ条件に
該当する画像データ及び検査情報を読み出すことができる。そして、インターフェース２
１への第２の記憶装置２２０の取り付けに応じて、読み出した画像データ及び検査情報を
第２の記憶装置２２０に保存することができる。
【０１３７】
これにより、インターフェース２１から取り外されて保管状態になった第１の記憶装置
２１０に保存される画像データ及び検査情報が必要になったとき、インターフェース２１
に取り付けられて使用中の第２の記憶装置２２０を取り外して第１の記憶装置２１０に交
換する手間を省くことができる。
【０１３８】
本発明のいくつかの実施形態を説明したが、これらの実施形態は、例として提示したも
のであり、発明の範囲を限定することを意図していない。これら新規な実施形態は、その
他の様々な形態で実施されることが可能であり、発明の要旨を逸脱しない範囲で、種々の
省略、置き換え、変更を行うことができる。これら実施形態やその変形は、発明の範囲や
要旨に含まれると共に、特許請求の範囲に記載された発明とその均等の範囲に含まれる。
【符号の説明】
【０１３９】
２０  画像処理部
２１，６１  インターフェース
２２  引継ぎ条件設定部
２３  引継ぎ部
２４，７０  内蔵記憶部
１００  超音波診断装置
２１０  第１の記憶装置
２２０  第２の記憶装置
【図１】
0006677972.tif 000002
【図２】
0006677972.tif 000003
【図３】
0006677972.tif 000004
【図４】
0006677972.tif 000005
【図５】
0006677972.tif 000006
【図６】
0006677972.tif 000007
【図７】
0006677972.tif 000008
【図８】
0006677972.tif 000009
【図９】
0006677972.tif 000010
【図１０】
0006677972.tif 000011
【図１１】
0006677972.tif 000012
【図１２】
0006677972.tif 000013
【図１３】
0006677972.tif 000014
【図１４】
0006677972.tif 000015
【図１５】
0006677972.tif 000016
【図１６】
0006677972.tif 000017
【図１７】
0006677972.tif 000018
【図１８】
0006677972.tif 000019
【図１９】
0006677972.tif 000020
【図２０】
0006677972.tif 000021
【図２１】
0006677972.tif 000022
【図２２】
0006677972.tif 000023
【図２３】
0006677972.tif 000024